(57)【要約】【課題】フックを安定的に保持できる墜落防止用安全帯のストラップ巻取り器を提供する。【解決手段】一対の側板１ａ、１ｂ、および一対の側板の一方の側縁同士を連結する連結部材１ｃからなる実質上コ字状断面を有するフレーム１と、フレームの内側空間内に配置され、一対の側板の間に取り付けられて回転軸２のまわりに回転可能とされたストラップ巻取りドラム３を備える。ストラップ巻取りドラムには、ストラップ４の一端が固定されるとともにストラップが巻装され、ストラップの先端にはフックが取り付けられる。さらに、フレームにこれから突出するように取り付けられ、フックを吊り下げ状態に係止し得るフック係止部材６と、フレームに設けられ、墜落防止用安全帯の胴ベルトに連結するための連結金具７を備える。フック係止部材は、ストラップ巻取りドラムの回転軸方向に見たときに、胴ベルト側に開いた鉤状断面を有する。【選択図】図１
0003138878.tif 000002
【実用新案登録請求の範囲】
【請求項１】
先端にフックを有するストラップを備えた墜落防止用安全帯のストラップ巻取り器であって、
間隔をあけて対置された一対の側板、および前記一対の側板の少なくとも一方の側縁同士を連結する連結部材からなる実質上コ字状またはロ字状断面を有するフレームと、
前記フレームの内側空間内に配置され、前記一対の側板の間に取り付けられて回転軸のまわりに回転可能とされたストラップ巻取りドラムと、を備え、前記ストラップ巻取りドラムには、ストラップの一端が固定されるとともに前記ストラップが巻装され、前記ストラップの先端には前記フックが取り付けられており、さらに、
前記フレームにこれから突出するように取り付けられ、前記フックを吊り下げ状態に係止し得るフック係止部材と、
前記フレームに設けられ、前記墜落防止用安全帯の胴ベルトに連結するための連結金具と、を備え、前記フック係止部材は、前記ストラップ巻取り器が前記連結金具によって前記胴ベルトに連結された状態で前記ストラップ巻取りドラムの回転軸方向に見たときに、前記胴ベルト側に開いた鉤状断面を有していることを特徴とするストラップ巻取り器。
【請求項２】
前記フック係止部材は、一対の鉤状に曲げられた板からなり、前記一対の板の一端側が前記フレームの一対の側板にそれぞれ取り付けられていることを特徴とする請求項１に記載のストラップ巻取り器。
【請求項３】
前記フック係止部材は、一対の鉤状に曲げられた棒状の脚部分と、それらの脚部分の一端同士を接続する棒状の接続部分とからなり、前記一対の脚部分の他端側が前記フレームの一対の側板にそれぞれ取り付けられていることを特徴とする請求項１に記載のストラップ巻取り器。
【請求項４】
前記フック係止部材は、前記連結金具の近傍に取り付けられていることを特徴とする請求項１〜請求項３のいずれかに記載のストラップ巻取り器。
【請求項５】
前記ストラップ巻取りドラムを前記フレームの一部とともに収容し、前記フレームに支持、固定されたケーシングをさらに備え、前記ケーシングにはストラップ出入口が形成され、前記フレームの前記ケーシングから突出する部分に、前記フック係止部材および前記連結金具が取り付けられることを特徴とする請求項１〜請求項４のいずれかに記載のストラップ巻取り器。
【考案の詳細な説明】
【技術分野】
【０００１】
本考案は、先端にフックを有するストラップを備えた墜落防止用安全帯のストラップ巻取り器に関するものである。
【背景技術】
【０００２】
墜落防止用安全帯は、命綱として、先端にフックを有するストラップを備えており、胴ベルトにストラップ巻取り器が取り付けられている。そして、胴ベルトが作業者に装着され、フックが適当な固定物に係止されることにより、高所作業現場において万一作業者が墜落した場合に、作業者の安全が確保されるようになっている。
【０００３】
ところで、ストラップは、通常アラミド繊維等の高強度繊維から形成されており、伸縮率が非常に小さい。このため、墜落時に作業者が受ける衝撃を緩和するために、フックとストラップとの連結部にショックアブソーバが挿入されている。
そして、フックを使用しないときは、胴ベルトに取り付けられたフック掛けにフックを掛けておくようになっていた。
【０００４】
しかし、この構成では、フックおよびショックアブソーバは大きな寸法を有し、嵩張るので、フックを使用しないときに、胴ベルトの長手方向に大きなスペースが占有されてしまい、そのため、胴ベルトに巻尺や工具袋等を取り付けるためのスペースがあまり取れないという問題があった。
【０００５】
この不都合を解消すべく、従来、ストラップ巻取り器のケースにフックの掛け部を設けるとともに、掛け部が胴ベルトの長手方向に関してケース両端とならないようにしたものが提案されている（特許文献１参照）。この構成によれば、胴ベルト上に、ストラップ巻取り器の取り付けスペースとは別にフックを保持するスペースを確保する必要はなくなるが、フックがケースの掛け部に引っ掛けられた場合に、フックはストラップ巻取り器の端面に平行に配置されるので、据わりが悪く、例えば、ストラップ巻取り器を胴ベルトに対して着脱する際や、取り外したストラップ巻取り器を持ち運ぶ際に取扱いにくかった。
【０００６】
【特許文献１】特開２００７−１６７１２０号公報
【考案の開示】
【考案が解決しようとする課題】
【０００７】
したがって、本考案の課題は、フックを安定的に保持できる墜落防止用安全帯のストラップ巻取り器を提供することにある。
【課題を解決するための手段】
【０００８】
上記課題を解決するため、本考案は、先端にフックを有するストラップを備えた墜落防止用安全帯のストラップ巻取り器であって、間隔をあけて対置された一対の側板、および前記一対の側板の少なくとも一方の側縁同士を連結する連結部材からなる実質上コ字状またはロ字状断面を有するフレームと、前記フレームの内側空間内に配置され、前記一対の側板の間に取り付けられて回転軸のまわりに回転可能とされたストラップ巻取りドラムと、を備え、前記ストラップ巻取りドラムには、ストラップの一端が固定されるとともに前記ストラップが巻装され、前記ストラップの先端には前記フックが取り付けられており、さらに、前記フレームにこれから突出するように取り付けられ、前記フックを吊り下げ状態に係止し得るフック係止部材と、前記フレームに設けられ、前記墜落防止用安全帯の胴ベルトに連結するための連結金具と、を備え、前記フック係止部材は、前記ストラップ巻取り器が前記連結金具によって前記胴ベルトに連結された状態で前記ストラップ巻取りドラムの回転軸方向に見たときに、前記胴ベルト側に開いた鉤状断面を有していることを特徴とするストラップ巻取り器を構成したものである。
【０００９】
上記構成において、好ましくは、前記フック係止部材は、一対の鉤状に曲げられた板からなり、前記一対の板の一端側が前記フレームの一対の側板にそれぞれ取り付けられており、あるいは、前記フック係止部材は、一対の鉤状に曲げられた棒状の脚部分と、それらの脚部分の一端同士を接続する棒状の接続部分とからなり、前記一対の脚部分の他端側が前記フレームの一対の側板にそれぞれ取り付けられている。
また好ましくは、前記フック係止部材は、前記連結金具の近傍に取り付けられている。
【００１０】
上記構成において、また、前記ストラップ巻取り器に、前記ストラップ巻取りドラムを前記フレームの一部とともに収容し、前記フレームに支持、固定されたケーシングを設け、前記ケーシングにはストラップ出入口を形成し、前記フレームの前記ケーシングから突出する部分に、前記フック係止部材および前記連結金具を取り付けるようにしてもよい。
【考案の効果】
【００１１】
本考案によれば、ストラップ先端のフックを、ストラップ巻取り器のフレームに設けたフック係止部材に、ストラップ巻取り器の厚み方向に平行になるように掛けることができるので、据わりが良くなり、ストラップ巻取り器を胴ベルトに対して着脱する際や、取り外したストラップ巻取り器を持ち運ぶ際の取扱いが容易になる。
【考案を実施するための最良の形態】
【００１２】
以下、添付図面を参照して本考案の好ましい実施例について説明する。図１は、本考案による墜落防止用安全帯のストラップ巻取り器の分解斜視図であり、図２（Ａ）は、ストラップ巻取り器の正面図であり、図２（Ｂ）はストラップ巻取り器の側面図である。また、図３は、本考案によるストラップ巻取り器が、墜落防止用安全帯の胴ベルトに連結され、作業者に装着された状態を示す図である。
【００１３】
図１および図２を参照して、本考案のストラップ巻取り器は、間隔をあけて対置された一対の側板１ａ、１ｂ、および一対の側板１ａ、１ｂの一方の側縁同士を連結する連結部材１ｃからなる実質上コ字状断面を有するフレーム１と、フレーム１の内側空間内に配置され、一対の側板１ａ、１ｂの間に取り付けられて回転軸２のまわりに回転可能とされたストラップ巻取りドラム３を備えている。ストラップ巻取りドラム３には、ストラップ４の一端が固定されるとともにストラップ４が巻装され、ストラップ４の先端にはショックアブソーバ１９を介してフック５が取り付けられている。
【００１４】
一方の側板１ｂの外側には、ストラップ巻取りドラム３に対応する位置に、円形の基板９および円形の前面カバー１１がネジ１３によって取り付けられている。この場合、基板９の中心には、回転軸２が貫通する開口が設けられ、さらに、基板９および前面カバー１１の間には渦巻きバネ１０が収容され、渦巻きバネ１０の一端は回転軸２に、他端は前面カバー１１に固定されている。こうして、ストラップ巻取りドラム３は、渦巻きバネ１０によって、常時、ストラップ４を巻き取る向きに弾性付勢される。
また、他方の側板１ａの外側には、前面カバー１１に対応する位置に円形の後面カバー１２がネジ１４によって取り付けられている。
【００１５】
なお、この実施例では、フレーム１の側板１ａ、１ｂの外側のみがカバー１１、１２によって被覆され、側板１ａ、１ｂ間の空間は露出するようになっているが、ストラップ巻取りドラム３をフレーム１の一部とともに収容し、フレーム１に支持、固定されたケーシングを設け、ケーシングにストラップ出入口を形成するようにしてもよい。
【００１６】
ストラップ巻取り器は、さらに、フレーム１の前面および後面カバー１１、１２から露出する部分に、フレーム１から突出するように取り付けられ、フック５を吊り下げ状態に係止し得るフック係止部材６と、フレーム１に設けられ、墜落防止用安全帯の胴ベルトに連結するための連結金具７を備えている。
図３からわかるように、フック係止部材６は、ストラップ巻取り器が連結金具７によって胴ベルト１５のＤ環１６に連結された状態でストラップ巻取りドラム３の回転軸２方向に見たとき、胴ベルト１５側に開いた鉤状断面を有している。図１に示すように、この実施例では、フック係止部材６は、Ｕ字状の係止部６ａと、それに接続する取付部６ｂとから構成される鉤状に曲げられた一対の板からなっている。
【００１７】
そして、図１に示すように、フック係止部材６および連結金具７は、連結金具７がフレーム１の一対の側板１ａ、１ｂの間に挿入され、フック係止部材６の取付部６ｂが一対の側板１ａ、１ｂの外側に配置された状態で、連結ピン８によってフレーム１に取付けられている。
【００１８】
この実施例では、フック係止部材６の係止部６ａはＵ字状であるが、例えばＶ字状またはＬ字状であってもよく、任意の鉤状に湾曲または屈曲していればよい。
【００１９】
また、この実施例では、フック係止部材を鉤状に曲げられた一対の板から構成したが、フック係止部材を、一対の鉤状に曲げられた棒状の脚部分と、それらの脚部分の一端同士を接続する棒状の接続部分とから構成し、一対の脚部分の他端側を、フレームの一対の側板にそれぞれ取り付けるようにしてもよい。図４には、この構成の具体例を示した。図４において、フック係止部材２０は、一対のＬ字状に折り曲げられた平行な棒状の脚部分２０ａ、２０ｂと、それらの脚部分２０ａ、２０ｂの一端同士を接続する棒状の接続部分２０ｃとからなり、一対の脚部分２０ａ、２０ｂの他端側に平板状の取付部２０ｄ、２０ｅが設けられている。そして、フック係止部材２０の取付部２０ｄ、２０ｅが、連結ピン８によって、フレーム１の一対の側板１ａ、１ｂにそれぞれ取り付けられている。
【００２０】
本考案によるストラップ巻取り器は、図３に示すように、連結金具７によって、墜落防止用安全帯の胴ベルト１５のＤ環１６に連結される。そして、フック５を使用しない場合には、フック５を、ストラップ巻取り器のフック係止部材６に、ストラップ巻取り器の厚み方向に平行になるように掛けることができる。それによって、作業者の胴ベルト１５に、工具袋１７や巻尺１８を備え付けるためのスペースを十分に確保できる。さらに、ストラップ巻取り器およびフック５の据わりが良くなり、ストラップ巻取り器を胴ベルト１５に対して着脱する際や、取り外したストラップ巻取り器を持ち運ぶ際の取扱いが容易になる。
【図面の簡単な説明】
【００２１】
【図１】本考案による墜落防止用安全帯のストラップ巻取り器の分解斜視図である。
【図２】（Ａ）は本考案によるストラップ巻取り器の正面図であり、（Ｂ）は本考案によるストラップ巻取り器の側面図である。
【図３】本考案によるストラップ巻取り器が胴ベルトに連結され、作業者に装着された状態を示す図である。
【図４】（Ａ)はフック係止部材の変形例を備えたストラップ巻取り器の斜視図であり、（Ｂ）は該変形例の斜視図である。
【符号の説明】
【００２２】
１  フレーム
１ａ、１ｂ  側板
１ｃ  連結部材
２  回転軸
３  ストラップ巻取りドラム
４  ストラップ
５  フック
６  フック係止部材
６ａ  係止部
６ｂ  取付部
７  連結金具
８  連結ピン
９  基板
１０  渦巻きバネ
１１  前面カバー
１２  後面カバー
１３、１４  ネジ
１５  胴ベルト
１６  Ｄ環
１７  工具袋
１８  巻尺
１９  ショックアブソーバ
２０  フック係止部材
２０ａ、２０ｂ  脚部分
２０ｃ  接続部分
２０ｄ、２０ｅ  取付部
Ｍ  作業者
【図１】
0003138878.tif 000003
【図２】
0003138878.tif 000004
【図３】
0003138878.tif 000005
【図４】
0003138878.tif 000006